(57)【要約】【課題】アンテナ特性とＥＭＩ特性の両立が可能な折り畳み型の無線機を提供する。【解決手段】接続手段３０１は、その一端が回路基板２０２のグラウンドパターン（ＧＮＤ）に接続され、他端は筐体１内で回路基板２０１のグラウンドパターンに近接して対峙するものの、間隙３０２により回路基板２０１のグラウンドパターンには電気的に接続されていない。回路基板２０１と回路基板２０２は、配線手段４００により、グラウンドパターンを除く信号線が電気的に接続されている。このように、回路基板２０１のグラウンドパターンと、回路基板２０２のグラウンドパターンとを電気的に接続しないことにより、回路基板２０２に生じる、アンテナ１００上を流れる電流と逆相の電流を、低減するようにしたものである。【選択図】　　図２
2004104528.tif 000002
【特許請求の範囲】
【請求項１】
第１の回路基板を備える第１の筐体と、第２の回路基板を備える第２の筐体とが回動自在に結合してなる無線機において、
グラウンド線以外の第１の回路基板の配線と、グラウンド線以外の第２の回路基板の配線とを接続する配線手段と、
一端が前記第２の回路基板のグラウンド線に電気的に接続され、他端は前記第１の回路基板のグラウンド線に電気的に接続されない接続手段とを具備することを特徴とする無線機。
【請求項２】
第１の回路基板を備える第１の筐体と、第２の回路基板を備える第２の筐体とが回動自在に結合してなる無線機において、
グラウンド線以外の第１の回路基板の配線と、グラウンド線以外の第２の回路基板の配線とを接続する配線手段と、
ＲＦ帯域の信号を制御するものであって、一端が前記第２の回路基板のグラウンド線に電気的に接続され、他端は前記第１の回路基板のグラウンド線に電気的に接続されるフィルタリング手段とを具備することを特徴とする無線機。
【請求項３】
第１の回路基板を備える第１の筐体と、第２の回路基板を備える第２の筐体とが回動自在に結合してなる無線機において、
グラウンド線以外の第１の回路基板の配線と、グラウンド線以外の第２の回路基板の配線とを接続する配線手段と、
ＲＦ帯域の信号を制御するフィルタリング手段と、
一端が前記第２の回路基板のグラウンド線に電気的に接続され、他端は前記フィルタリング手段を介して第１の回路基板のグラウンド線に電気的に接続される接続手段とを具備することを特徴とする無線機。
【請求項４】
前記接続手段は、前記他端が前記第１の筐体内に引き込まれていることを特徴とする請求項１または請求項３に記載の無線機。
【請求項５】
第１の回路基板を備える第１の筐体と、第２の回路基板を備える第２の筐体とが回動自在に結合してなる無線機において、
グラウンド線以外の第１の回路基板の配線と、グラウンド線以外の第２の回路基板の配線とを接続する配線手段と、
一端が前記第２の回路基板のグラウンド線に電気的に接続され、他端は前記第１の回路基板に設けられた第１のグラウンド線に電気的に接続される接続手段と、
ＲＦ帯域の信号の通過を制限するものであって、前記第１のグラウンド線と、このグランド線とは別に前記第１の回路基板に設けられた第２のグラウンド線とを電気的に接続するフィルタリング手段とを具備することを特徴とする無線機。
【請求項６】
第１の回路基板を備える第１の筐体と、第２の回路基板を備える第２の筐体とが回動自在に結合してなる無線機において、
グラウンド線以外の第１の回路基板の配線と、グラウンド線以外の第２の回路基板の配線とを接続する配線手段と、
一端が前記第２の回路基板のグラウンド線に電気的に接続され、他端は前記第１の回路基板に設けられた第１のグラウンド線に電気的に接続される接続手段とを備え、
前記第２の回路基板は、前記第１のグラウンド線と電気的に接続されない第２のグラウンド線を備えることを特徴とする無線機。
【請求項７】
前記第１のグラウンド線の外周の一部が、前記第２のグラウンド線と対峙することを特徴とする請求項５または請求項６に記載の無線機。
【請求項８】
前記第１のグラウンド線の全周が、前記第２のグラウンド線により囲まれることを特徴とする請求項５または請求項６に記載の無線機。
【請求項９】
前記配線手段と前記接続手段は、長手方向に重なるように配設したことを特徴とする請求項１、請求項３、請求項５または請求項６に記載の無線機。
【発明の詳細な説明】
【０００１】
【発明の属する技術分野】
この発明は、例えば携帯電話システムやＰＨＳ（Ｐｅｒｓｏｎａｌ　Ｈａｎｄｙｐｈｏｎｅ　Ｓｙｓｔｅｍ）をはじめとする種々の移動通信で用いられる携帯型の無線機に関する。
【０００２】
【従来の技術】
従来より、携帯電話システムやＰＨＳをはじめとする種々の移動通信で用いられる、ストレート型の筐体３を持つ携帯型の無線機を図２６に示す。
この図のように、従来の携帯型の無線機は、アンテナ１００として、小型化のためにλ／４型のモノポールアンテナが使用されている。このような無線機は、アンテナ１００上だけでなく、回路基板２００上に電流を流すことで放射効率を上げている。
【０００３】
近時、携帯電話システムやＰＨＳで使用される移動無線端末装置にあっては、表示部で種々の情報を表示することを可能としており、このような無線機にあっては、図２６に示した前後方向に強く放射する、８の字型の放射パターン特性が好まれる。
【０００４】
ところが、通信に使用する無線信号の周波数が高く、回路基板２００が長い場合には、図２７に示すように、アンテナ１００上に流れる電流と逆相の電流が回路基板２００上に生じる。
【０００５】
このように、回路基板２００上に逆相の電流が生じると、図５に示すように、垂直面内の放射パターンにおいて前後方向に落ち込みが発生し、放射特性が劣化して４つ葉型の放射パターンになる。
【０００６】
これを改善するために、従来の移動無線端末装置では、回路基板の一部にスリットを挿入することで逆相電流を低減する手法が考えられている（例えば、特許文献１参照）。
【０００７】
ところで、折り畳み型の無線機にあっては、折り畳み部分を境にして、図２８に示すように、２つの回路基板２０１，２０２に別れている。そして、これらの回路基板２０１と２０２は、例えばケーブルなどの接続手段３００により信号線やグラウンドパターン（ＧＮＤ）が接続されている。
【０００８】
このように、２つの回路基板２０１，２０２のグラウンドパターンを接続すると、両者のグラウンドパターンに、互いに位相が反転した電流が流れる場合がある。この様子を図２９に示す。
【０００９】
このように、２つの回路基板２０１，２０２のグラウンドパターンに、互いに位相が反転した電流が流れると、図５に示したように、垂直面内の放射パターンが４つ葉型になり、前後方向付近に落ち込みが見られる。この落ち込みの発生により、水平面内付近での放射利得が劣化する。なお、逆相電流の量は、接続手段３００の長さや形状にも依存する。
【００１０】
図３０に、ある回路基板長の折り畳み型の無線機と、回路基板長を変化させた場合におけるストレート型の無線機との前後方向付近に発生する落ち込みの相対強度を示す。
この図に示すように、ストレート型では回路基板の長さが長くなるにつれて落ち込みが大きくなり、ある程度大きくなった後、若干落ち込みが小さくなる傾向を示す。これは放射パターンが８の字型から４つ葉型に変化した後、６つ葉型に変化するためである。折り畳み型も同様な傾向を示す。
【００１１】
図３１に、ある回路基板長の折り畳み型の無線機と、回路基板長を変化させた場合におけるストレート型の無線機とのＰＡＧ（パターン平均化利得）の変化を示す。ストレートタイプの場合は回路基板長が長くなるほどＰＡＧが減少する。一方、折りたたみ型の場合にも４つ葉型の放射パターンになるためＰＡＧが減少する。
折り畳み型の無線機にあっては、図２８に示したように、２つの回路基板２０１，２０２に別れているため、スリットを挿入する手法を適用することができない。また、スリットを挿入するにしても、２つの回路基板の一部を接続していなければならないため、スリットの挿入の仕方には制限がある。
【００１２】
さらに、単にスリットを挿入しただけではアンテナの放射特性が改善されても、ＥＭＩ（Ｅｌｅｃｔｒｏ　Ｍａｇｎｅｔｉｃ　Ｉｎｔｅｒｆｅｒｅｎｃｅ）特性が悪化することが予想される。これは、スリットを跨いで、２つの回路基板間を結ぶ配線上を信号が通過する際に、コモンモード電流が流れてＥＭＩが増加することに起因する。
【００１３】
以上のように、従来の折り畳み型の無線機にあっては、アンテナ特性とＥＭＩ特性の両立が困難であるという問題があった。
【００１４】
【特許文献１】
特開平１１−８８２０９号公報（第４頁、図１）
【００１５】
【発明が解決しようとする課題】
従来の折り畳み型の無線機にあっては、アンテナ特性とＥＭＩ特性の両立が困難であるという問題があった。
この発明は上記の問題を解決すべくなされたもので、アンテナ特性とＥＭＩ特性の両立が可能な折り畳み型の無線機を提供することを目的とする。
【００１６】
【課題を解決するための手段】
上記の目的を達成するために、請求項１に係わる本発明は、第１の回路基板を備える第１の筐体と、第２の回路基板を備える第２の筐体とが回動自在に結合してなる無線機において、グラウンド線以外の第１の回路基板の配線と、グラウンド線以外の第２の回路基板の配線とを接続する配線手段と、一端が前記第２の回路基板のグラウンド線に電気的に接続され、他端は第１の回路基板のグラウンド線に電気的に接続されない接続手段とを具備して構成するようにした。
【００１７】
上記構成の無線機では、その一端は第２の回路基板のグラウンド線に電気的に接続され、他端は、第１の回路基板の電気回路のグラウンド線に電気的に接続されない接続手段を備えるようにしている。
【００１８】
したがって、上記構成の無線機によれば、第１の回路基板のグラウンド線と、第２の回路基板のグラウンド線との間を電流が流れにくくなり、アンテナ上を流れる電流と逆相の電流が生じにくく、なおかつ第２の回路基板のグラウンド線に電気的に接続される接続手段の存在により、ＥＭＩ特性が著しく劣化することを防止できる。
【００１９】
また上記の目的を達成するために、請求項２に係わる本発明は、第１の回路基板を備える第１の筐体と、第２の回路基板を備える第２の筐体とが回動自在に結合してなる無線機において、グラウンド線以外の第１の回路基板の配線と、グラウンド線以外の第２の回路基板の配線とを接続する配線手段と、ＲＦ帯域の信号を制御するものであって、一端が第２の回路基板のグラウンド線に電気的に接続され、他端は第１の回路基板のグラウンド線に電気的に接続されるフィルタリング手段とを具備して構成するようにした。
【００２０】
さらに、請求項３に係わる本発明は、第１の回路基板を備える第１の筐体と、第２の回路基板を備える第２の筐体とが回動自在に結合してなる無線機において、グラウンド線以外の第１の回路基板の配線と、グラウンド線以外の第２の回路基板の配線とを接続する配線手段と、ＲＦ帯域の信号を制御するフィルタリング手段と、一端が第２の回路基板のグラウンド線に電気的に接続され、他端はフィルタリング手段を介して第１の回路基板のグラウンド線に電気的に接続される接続手段とを具備して構成するようにした。
【００２１】
そして、請求項５に係わる本発明は、第１の回路基板を備える第１の筐体と、第２の回路基板を備える第２の筐体とが回動自在に結合してなる無線機において、グラウンド線以外の第１の回路基板の配線と、グラウンド線以外の第２の回路基板の配線とを接続する配線手段と、一端が第２の回路基板のグラウンド線に電気的に接続され、他端は、第１の回路基板に設けられ、第１の回路基板に設けられた電気回路に接続されないグラウンド線に電気的に接続される接続手段と、ＲＦ帯域の信号の通過を制限するものであって、接続手段が接続される第１の回路基板のグラウンド線と、第１の回路基板に設けられた電気回路に接続されるグラウンド線とを電気的に接続するフィルタリング手段とを具備して構成するようにした。
【００２２】
上記構成の無線機では、第２の回路基板のグラウンド線と、電気回路が実装される第１の回路基板のグラウンド線とを、ＲＦ帯域の信号の通過を制御するフィルタリング手段で電気的に接続するようにしている。
【００２３】
したがって、上記構成の無線機によれば、第１の回路基板のグラウンド線と、第２の回路基板のグラウンド線との間を流れる電流成分の内、ＲＦ帯域の成分が制御されるので、アンテナ上を流れる電流と逆相の電流が生じにくく、なおかつ第２の回路基板のグラウンド線に電気的に接続される接続手段の存在により、ＥＭＩ特性が著しく劣化することを防止できる。
【００２４】
また、請求項６に係わる本発明は、第１の回路基板を備える第１の筐体と、第２の回路基板を備える第２の筐体とが回動自在に結合してなる無線機において、グラウンド線以外の第１の回路基板の配線と、グラウンド線以外の第２の回路基板の配線とを接続する配線手段と、一端が第２の回路基板のグラウンド線に電気的に接続され、他端は第１の回路基板に設けられた第１のグラウンド線に電気的に接続される接続手段とを備え、第２の回路基板は、第１のグラウンド線と電気的に接続されない第２のグラウンド線を備えるようにした。
【００２５】
上記構成の無線機では、その一端は第２の回路基板のグラウンド線に電気的に接続され、他端は、第１の回路基板の電気回路の第２のグラウンド線に電気的に接続されない接続手段を備えるようにしている。
【００２６】
したがって、上記構成の無線機によれば、第１の回路基板のグラウンド線と、第２の回路基板の第２のグラウンド線との間を電流が流れにくくなり、アンテナ上を流れる電流と逆相の電流が生じにくく、なおかつ第２の回路基板のグラウンド線に電気的に接続される接続手段の存在により、ＥＭＩ特性が著しく劣化することを防止できる。
【００２７】
【発明の実施の形態】
以下、図面を参照して、この発明の実施形態について説明する。
まずこの発明の第１の実施形態に係わる無線機について説明する。図１および図２は、その構成を示すものである。これらの図では、無線機の構成のうち、主として、無線電波の放射パターンに影響する構成について示すことにする。
【００２８】
この無線機は、二つ折りの折り畳み式構造となっており、筐体１と筐体２とからなり、これらはヒンジなどにより回動自在に結合されている。
図１に示すように、筐体１には、アンテナ１００と、回路基板２０１とを備えるほかに、ＬＣＤ（Ｌｉｑｕｉｄ　Ｃｒｙｓｔａｌ　Ｄｉｓｐｌａｙ）などからなる表示部（図示しない）などを備える。
【００２９】
アンテナ１００は、λ／４型のモノポールアンテナであり、回路基板２０１上の電気回路から無線信号が給電されている。なお、λは、回路基板２０１の動作周波数における波長を示すものである。
【００３０】
筐体２には、回路基板２０２を備えるほかに、テンキーやマルチファンクションキーなどのキー入力手段や、バッテリ、電源回路、イヤホンマイク端子（いずれも図示しない）などを備える。
【００３１】
回路基板２０１、２０２は、無線による音声通信やデータ通信、画像表示を実現するための構成として、ＣＰＵ（Ｃｅｎｔｒａｌ　Ｐｒｏｃｅｓｓｉｎｇ　Ｕｎｉｔ）やメモリ、無線回路などの電気回路を実装する。
【００３２】
接続手段３０１は、例えばＦＰＣ（Ｆｌｅｘｉｂｌｅ　Ｐｒｉｎｔ　Ｃｉｒｃｕｉｔ）などのフラットケーブルであって、その一端が回路基板２０２のグラウンドパターン（ＧＮＤ）に接続され、他端は筐体１内で回路基板２０１のグラウンドパターンに近接して対峙するものの、間隙３０２により回路基板２０１のグラウンドパターンには電気的に接続されていない。
【００３３】
そして、回路基板２０１と回路基板２０２は、図２に示すように、ＦＰＣなどのフラットケーブルからなる配線手段４００により、グラウンドパターンを除く信号線が電気的に接続されている。
【００３４】
配線手段４００の両端には、コネクタ４０１，４０２が設けられる。コネクタ４０１は、回路基板２０１と電気的・物理的に接続するためのもので、コネクタ４０２は、回路基板２０２と電気的・物理的に接続するためのものである。
【００３５】
そして、配線手段４００は、当該無線機の前後方向から見て、できるだけ接続手段３０１に重なる面積が大きくように設け、なおかつ接続手段３０１の中央部と重なることが好ましい。
【００３６】
以上のような構成の無線機では、回路基板２０１のグラウンドパターンと、回路基板２０２のグラウンドパターンとが電気的に接続されないので、両グラウンドパターン間を電流が流れにくい。
これにより、図３の模式図に示すように、回路基板２０２に生じる、アンテナ１００上を流れる電流と逆相の電流は、従来に比べて著しく低減される。
【００３７】
このため、上記構成の無線機は、垂直面内の放射パターンは、図４に示すように８の字型になる。この図に示すように、逆相電流の発生を抑制したことで、従来の放射パターン（図５参照）に比べて、前後方向付近の落ち込みが改善する。
【００３８】
図６に、回路基板長を変化させた場合における、ストレート型の無線機と折り畳み型の無線機の前後方向付近の相対強度を示す。また、折り畳み型については、従来の無線機と上記構成の無線機とについて示す。
【００３９】
この図に示すように、上記構成の無線機（実線）は、従来の無線機（破線）と比べて、前後方向付近の落ち込みが改善していることが分かる。なお、一点鎖線は、ストレート型の無線機の特性を示す。
【００４０】
図７に、回路基板長を変化させた場合における、ストレート型の無線機と折り畳み型の無線機のＰＡＧ（パターン平均化利得）の変化を示す。また、折り畳み型については、従来の無線機と上記構成の無線機とについて示す。
【００４１】
この図に示すように、ＰＡＧについても、上記構成の無線機（実線）は、従来の無線機（破線）と比べて改善していることが分かる。なお、一点鎖線は、ストレート型の無線機の特性を示す。
【００４２】
また、この上記構成の無線機では、回路基板２０１のグラウンドパターンと、回路基板２０２のグラウンドパターンとを電気的に接続しないものの、回路基板２０２のグラウンドパターンに電気的に接続される接続手段３０１を、回路基板２０１のグラウンドパターンに近接させ、なおかつ上記接続手段３０１を配線手段４００と重なるような位置に配設するようにしている。
【００４３】
このため、回路基板２０１のグラウンドパターンと回路基板２０２のグラウンドパターンとを電気的に接続しないことに起因するＥＭＩ特性の劣化を抑制することができる。
【００４４】
次にこの発明の第２の実施形態に係わる無線機について説明する。図８および図９は、その構成を示すものである。これらの図では、無線機の構成のうち、主として、無線電波の放射パターンに影響する構成について示すことにする。
【００４５】
この無線機は、二つ折りの折り畳み式構造となっており、筐体１と筐体２とからなり、これらはヒンジなどにより回動自在に結合されている。
図８に示すように、筐体１には、アンテナ１００と、回路基板２０１とを備えるほかに、ＬＣＤ（Ｌｉｑｕｉｄ　Ｃｒｙｓｔａｌ　Ｄｉｓｐｌａｙ）などからなる表示部（図示しない）などを備える。
【００４６】
アンテナ１００は、λ／４型のモノポールアンテナであり、回路基板２０１上の電気回路から無線信号が給電されている。なお、λは、回路基板２０１の動作周波数における波長を示すものである。
【００４７】
筐体２には、回路基板２０２を備えるほかに、テンキーやマルチファンクションキーなどのキー入力手段や、バッテリ、電源回路、イヤホンマイク端子（いずれも図示しない）などを備える。
【００４８】
回路基板２０１、２０２は、無線による音声通信やデータ通信、画像表示を実現するための構成として、ＣＰＵ（Ｃｅｎｔｒａｌ　Ｐｒｏｃｅｓｓｉｎｇ　Ｕｎｉｔ）やメモリ、無線回路などの電気回路を実装する。
【００４９】
接続手段３０１は、例えばＦＰＣ（Ｆｌｅｘｉｂｌｅ　Ｐｒｉｎｔ　Ｃｉｒｃｕｉｔ）などのフラットケーブルであって、その一端が回路基板２０２のグラウンドパターン（ＧＮＤ）に接続され、他端は他端は筐体１内で回路基板２０１のグラウンドパターンに近接して間隙３０２を介して対峙し、フィルタ３０３を介して回路基板２０１のグラウンドパターンには電気的に接続される。
【００５０】
フィルタ３０３は、例えばチップ部品によるインダクタであって、アンテナ１００で使用されるＲＦ帯域でインピーダンスが高くなるような低域通過フィルタである。
【００５１】
そして、回路基板２０１と回路基板２０２は、図９に示すように、ＦＰＣなどのフラットケーブルからなる配線手段４００により、グラウンドパターンを除く信号線が電気的に接続されている。
【００５２】
配線手段４００の両端には、コネクタ４０１，４０２が設けられる。コネクタ４０１は、回路基板２０１と電気的・物理的に接続するためのもので、コネクタ４０２は、回路基板２０２と電気的・物理的に接続するためのものである。
【００５３】
そして、配線手段４００は、当該無線機の前後方向から見て、できるだけ接続手段３０１に重なる面積が大きくように設け、なおかつ接続手段３０１の中央部と重なることが好ましい。
【００５４】
以上のような構成の無線機では、回路基板２０１のグラウンドパターンと、回路基板２０２のグラウンドパターンとが、ＲＦ帯域でインピーダンスが高くなるフィルタ３０３を介して電気的に接続されるので、両グラウンドパターン間を流れる電流の内、高周波成分が抑制できる。
これにより、図１０の模式図に示すように、回路基板２０２に生じる、アンテナ１００上を流れる電流と逆相の電流は、低インピーダンスなもので接続する従来に比べて著しく低減される。
【００５５】
このため、上記構成の無線機は、垂直面内の放射パターンは、図４に示すように８の字型になる。この図に示すように、逆相電流の発生を抑制したことで、従来の放射パターン（図５参照）に比べて、前後方向付近の落ち込みが改善する。
【００５６】
また、回路基板長を変化させた場合における、ストレート型の無線機と折り畳み型の無線機の前後方向付近の相対強度については、図１１に示すように、上記構成の無線機（二点鎖線）は、従来の無線機（破線）や第１の実施形態の無線機（実線）と比べて、前後方向付近の落ち込みが一層改善していることが分かる。なお、一点鎖線は、ストレート型の無線機の特性を示す。
【００５７】
そして、回路基板長を変化させた場合における、ストレート型の無線機と折り畳み型の無線機のＰＡＧ（パターン平均化利得）の変化については、第１の実施形態と同様に、上記構成の無線機は、ＰＡＧが従来の無線機と比べて改善される。
なお、図１２に示すように、フィルタ３０３のインダクタンスを適度な値に調節することにより、ＰＡＧを増加させることが可能である。
【００５８】
また、この上記構成の無線機では、接続手段３０１とフィルタ３０３により、回路基板２０１のグラウンドパターンと、回路基板２０２のグラウンドパターンとを電気的に接続し、なおかつ上記接続手段３０１を配線手段４００と重なるような位置に配設するようにしている。
【００５９】
このため、図１３に示すように、従来の無線機（一点鎖線）や第１の実施形態の無線機（破線）と比べ、上記構成の無線機（実線）は、さらにＥＭＩ特性の劣化を最小限に抑制することができる。
【００６０】
ここで、フィルタ３０３の周波数に応じたインピーダンス変化が、より急峻なものを選択することで、ＲＦ帯域以下のＥＭＩ特性をさらに低減することが可能である。また、フィルタ３０３として、バンドカットフィルタを採用すれば、ＲＦ帯域より高周波の帯域でのＥＭＩ特性も改善することができる。
【００６１】
図１４は、コネクタ４０２側を波源とし、コネクタ４０１側を終端とした場合の伝送信号の周波数特性を示すものである。接続手段３０１とフィルタ３０３により、回路基板２０１のグラウンドパターンと、回路基板２０２のグラウンドパターンとを電気的に接続するようにしている。
【００６２】
このため、従来の無線機（一点鎖線）や第１の実施形態の無線機（破線）と比べ、上記構成の無線機（実線）は、ＲＦ帯域より低い周波数帯域での伝送特性が改善されていることがわかる。
【００６３】
ここで、フィルタ３０３の周波数に応じたインピーダンス変化が、より急峻なものを選択することで、ＲＦ帯域以下の伝送特性をさらに改善することが可能である。また、フィルタ３０３として、バンドカットフィルタを採用すれば、ＲＦ帯域より高周波の帯域での伝送特性も改善することができる。
【００６４】
また配線手段４００から発生する電波は、アンテナ１００と結合しにくいことが望ましい。図１５は、波源に対するアンテナ１００の給電点における伝送信号の特性であって、上記結合の度合いを示す。
【００６５】
この図に示すように、従来の無線機（一点鎖線）や第１の実施形態の無線機（破線）と比べ、上記構成の無線機（実線）は、結合の度合いが改善されていることがわかる。
【００６６】
尚、この発明は上記実施の形態に限定されるものではない。
上記第１の実施形態や第２の実施形態では、接続手段３０１の一端を回路基板２０２のグラウンドパターンに電気的に接続し、他端については、アンテナ１００が接続される回路基板２０１のグラウンドパターンに電気的に接続しなかったり、あるいはフィルタ３０３を介して接続するようにした。
【００６７】
これに代わって例えば、接続手段３０１の一端を、アンテナ１００が接続される回路基板２０１のグラウンドパターンに電気的に接続し、他端については回路基板２０２のグラウンドパターンに電気的に接続しなかったり、あるいはフィルタ３０３を介して接続するようにしてもよい。
【００６８】
また例えば、上記第１の実施形態や第２の実施形態では、図１６に示すように間隙３０２を設けたが、これ以外にも間隙の設け方が考えられる。
例えば図１７に示すように、回路基板２０１のグラウンドパターンの一部２０１−ｂと、回路基板２０２のグラウンドパターンとを接続手段３０１によって接続する。
【００６９】
そして、上記グラウンドパターン２０１−ｂは、種々の電気回路が実装されるグラウンドパターン２０１−ａとは、第１の実施形態に対応する構成としては、間隙３０２−ａにより電気的に接続せず、第２の実施形態に対応する構成としては、フィルタ３０３を介して電気的に接続する構成とする。
【００７０】
また、例えば図１８に示すような構成も考えられる。この図に示す構成においても、回路基板２０１のグラウンドパターンの一部２０１−ｄと、回路基板２０２のグラウンドパターンとを接続手段３０１によって接続する。
【００７１】
そして、上記グラウンドパターン２０１−ｄは、種々の電気回路が実装されるグラウンドパターン２０１−ｃ内に島状に設けられ、グラウンドパターン２０１−ｃは、グラウンドパターン２０１−ｄの全周を囲んでいる。
【００７２】
このような構成の場合、第１の実施形態に対応する構成としては、間隙３０２−ｂによりグラウンドパターン２０１−ｃと電気的に接続せず、第２の実施形態に対応する構成としては、フィルタ３０３を介してグラウンドパターン２０１−ｃと電気的に接続する構成とする。
【００７３】
また、上記第２の実施形態では、フィルタ３０３のインピーダンスの周波数特性を、図１９に示すように、ＲＦ帯域以上が高くなるようなローパスフィルタに相当するものとした。
【００７４】
これに代わって例えば、図２０に示すように、ＲＦ帯域だけがインピーダンスが高く、それ以外の帯域では、インピーダンスが低くなるようなバンドカットフィルタに相当するものであってもよい。
【００７５】
さらには、図２１に示すように、ＲＦ帯域以下が低くなるようなハイパスフィルタに相当するものであってもよい。
いずれの特性のフィルタ３０３であっても、その特性が急峻に変化するものを採用することにより、よりＥＭＩ特性の改善に寄与することができる。
【００７６】
さらに、第２の実施形態において、フィルタ３０３の構成として、チップ部品によるインダクタを例に挙げて説明したが、これに代わって例えば、図２２に示すように、ＲＦ帯域でインピーダンスが高くなるような、非常に細い導体３０３ａをフィルタ３０３として用いるようにしてもよい。
【００７７】
また、図２３に示すように、ＲＦ帯域でインピーダンスが高くなるように、導体をジグザグに構成したメアンダライン３０３ｂをフィルタ３０３として用いるようにしてもよい。
【００７８】
さらに、図２４に示すように、ＲＦ帯域でインピーダンスが高くなるように、チップ部品などの集中定数素子３０３ｃをフィルタ３０３として用いるようにしてもよい。
そしてまた、図２５に示すように、導体を対峙させてキャパシタ３０３ｄを構成し、フィルタ３０３として用いるようにしてもよい。
【００７９】
また、上述の実施形態では、接続手段３０１は、回路基板２０１のグラウンドパターンに近接して対峙するものとして、直接、回路基板２０１のグラウンドパターンに電気的に接続されなければ、物理的には回路基板２０１のグラウンドパターンに接続されていてもよい。
【００８０】
また、接続手段３０１は、間接的に回路基板２０１のグラウンドパターンに接続されていたとしても、物理的に回路基板２０１のグラウンドパターンに接続して固定してもよい。
【００８１】
さらには、第２の実施形態において、回路基板２０１のグラウンドパターンと回路基板２０２のグラウンドパターンとを接続するのに、接続手段３０１とフィルタ３０３とを介して接続するようにしたが、これに代わって例えば、接続手段３０１を用いることなしに、フィルタ３０３だけで回路基板２０１のグラウンドパターンと回路基板２０２のグラウンドパターンとを接続するようにしてもよい。
その他、この発明の要旨を逸脱しない範囲で種々の変形を施しても同様に実施可能であることはいうまでもない。
【００８２】
【発明の効果】
以上述べたように、この発明では、その一端は第２の回路基板のグラウンド線に電気的に接続され、他端は、第１の回路基板の電気回路のグラウンド線に電気的に接続されない接続手段を備えるようにしている。
【００８３】
したがって、この発明によれば、第１の回路基板のグラウンド線と、第２の回路基板のグラウンド線との間を電流が流れにくいので、アンテナ上を流れる電流と逆相の電流が生じにくく、なおかつ第２の回路基板のグラウンド線に電気的に接続される接続手段の存在により、ＥＭＩ特性が著しく劣化することを防止可能な無線機を提供できる。
【００８４】
また、この発明では、第２の回路基板のグラウンド線と、電気回路が実装される第１の回路基板のグラウンド線とを、ＲＦ帯域の信号の通過を制御するフィルタリング手段で電気的に接続するようにしている。
【００８５】
したがって、この発明によれば、第１の回路基板のグラウンド線と、第２の回路基板のグラウンド線との間を流れる電流成分の内、ＲＦ帯域の成分が制御されるので、アンテナ上を流れる電流と逆相の電流が生じにくく、なおかつ第２の回路基板のグラウンド線に電気的に接続される接続手段の存在により、ＥＭＩ特性が著しく劣化することを防止可能な無線機を提供できる。
【図面の簡単な説明】
【図１】この発明に係わる無線機の第１の実施の形態の構成を説明するための図。
【図２】この発明に係わる無線機の第１の実施の形態の構成を説明するための図。
【図３】図１に示した無線機の回路基板上に生じる電流の向きを説明するための図。
【図４】図１に示した無線機の垂直面内の放射パターンを説明するための図。
【図５】従来の無線機の垂直面内の放射パターンを説明するための図。
【図６】図１に示した無線機の回路基板長を変化させた場合における、ストレート型の無線機や従来の折り畳み型の無線機との相対強度を説明するための図。
【図７】図１に示した無線機の回路基板長を変化させた場合におけるパターン平均化利得の変化を説明するための図。
【図８】この発明に係わる無線機の第２の実施の形態の構成を説明するための図。
【図９】この発明に係わる無線機の第２の実施の形態の構成を説明するための図。
【図１０】図８に示した無線機の回路基板上に生じる電流の向きを説明するための図。
【図１１】図８に示した無線機の回路基板長を変化させた場合における、ストレート型の無線機や従来の折り畳み型の無線機との相対強度を説明するための図。
【図１２】図８に示した無線機のフィルタのインダクタンスを変化させた場合におけるパターン平均化利得の変化を説明するための図。
【図１３】図８に示した無線機のＥＭＩ特性を説明するための図。
【図１４】図８に示した無線機の配線手段における伝送信号の周波数特性を説明するための図。
【図１５】図８に示した無線機の配線手段から発生する電波と、アンテナとの結合の度合いの周波数特性を説明するための図。
【図１６】第１の実施の形態および第２の実施形態に係わる無線機において、間隙の設け方の変形例を説明するための図。
【図１７】第１の実施の形態および第２の実施形態に係わる無線機において、間隙の設け方の変形例を説明するための図。
【図１８】第１の実施の形態および第２の実施形態に係わる無線機において、間隙の設け方の変形例を説明するための図。
【図１９】第２の実施形態に係わる無線機で用いられるフィルタの帯域通過特性の例を示す図。
【図２０】第２の実施形態に係わる無線機で用いられるフィルタの帯域通過特性の例を示す図。
【図２１】第２の実施形態に係わる無線機で用いられるフィルタの帯域通過特性の例を示す図。
【図２２】第２の実施形態に係わる無線機で用いられるフィルタの構成例を示す図。
【図２３】第２の実施形態に係わる無線機で用いられるフィルタの構成例を示す図。
【図２４】第２の実施形態に係わる無線機で用いられるフィルタの構成例を示す図。
【図２５】第２の実施形態に係わる無線機で用いられるフィルタの構成例を示す図。
【図２６】従来のストレート型の無線機の構成を説明するための図。
【図２７】図２６に示した従来の無線機の回路基板上に生じる電流の向きを説明するための図。
【図２８】従来の折り畳み型の無線機の構成を説明するための図。
【図２９】図２８に示した従来の無線機の回路基板上に生じる電流の向きを説明するための図。
【図３０】回路基板長を変化させた場合における、ストレート型の無線機と従来の折り畳み型の無線機との相対強度を説明するための図。
【図３１】ストレート型の無線機と従来の折り畳み型の無線機の回路基板長を変化させた場合におけるパターン平均化利得の変化を説明するための図。
【符号の説明】
１…筐体
２…筐体
３…筐体
１００…アンテナ
２０１…回路基板
２０２…回路基板
３０１…接続手段
３０２…間隙
３０３…フィルタ
３０３ａ…細い導体
３０３ｂ…メアンダライン
３０３ｃ…集中定数素子
３０３ｄ…キャパシタ
４００…配線手段
４０１…コネクタ
４０２…コネクタ
【図１】
2004104528.tif 000003
【図２】
2004104528.tif 000004
【図３】
2004104528.tif 000005
【図４】
2004104528.tif 000006
【図５】
2004104528.tif 000007
【図６】
2004104528.tif 000008
【図７】
2004104528.tif 000009
【図８】
2004104528.tif 000010
【図９】
2004104528.tif 000011
【図１０】
2004104528.tif 000012
【図１１】
2004104528.tif 000013
【図１２】
2004104528.tif 000014
【図１３】
2004104528.tif 000015
【図１４】
2004104528.tif 000016
【図１５】
2004104528.tif 000017
【図１６】
2004104528.tif 000018
【図１７】
2004104528.tif 000019
【図１８】
2004104528.tif 000020
【図１９】
2004104528.tif 000021
【図２０】
2004104528.tif 000022
【図２１】
2004104528.tif 000023
【図２２】
2004104528.tif 000024
【図２３】
2004104528.tif 000025
【図２４】
2004104528.tif 000026
【図２５】
2004104528.tif 000027
【図２６】
2004104528.tif 000028
【図２７】
2004104528.tif 000029
【図２８】
2004104528.tif 000030
【図２９】
2004104528.tif 000031
【図３０】
2004104528.tif 000032
【図３１】
2004104528.tif 000033